(57)【要約】      （修正有）【課題】同一周波数帯のノイズが存在する場合であっても、通信状態が良好か否かをユーザに対して適切に通知することができる技術を提供する。【解決手段】無線通信システム１において、第１無線受信装置１０は、信号を受信する受信部１２と、受信部１２が受信した第１信号の受信強度を判定する受信強度判定部１７と、前記受信強度判定部１７で判定された受信強度が閾値を超える場合には第１の通知態様で受信強度を通知し、前記受信強度判定部１７で判定された受信強度が前記閾値未満である場合には第２の通知態様で受信強度を通知する受信強度通知部１８と、当該無線受信装置周辺のノイズの強度に応じて前記閾値を変更する閾値変更部１６と、を備える。【選択図】図１
2020068387.tif 000002
【特許請求の範囲】
【請求項１】
信号を受信する受信部と、
前記受信部が受信した第１信号の受信強度を判定する受信強度判定部と、
前記受信強度判定部で判定された受信強度が閾値を超える場合には第１の通知態様で受信強度を通知し、前記受信強度判定部で判定された受信強度が前記閾値未満である場合には第２の通知態様で受信強度を通知する受信強度通知部と、
当該無線受信装置の周辺のノイズの強度に応じて前記閾値を変更する閾値変更部と、
を備える無線受信装置。
【請求項２】
前記ノイズを測定するノイズ測定部を更に備え、
前記閾値変更部は、前記ノイズ測定部が測定したノイズの強度に応じて前記閾値を変更する請求項１に記載の無線受信装置。
【請求項３】
前記ノイズ測定部は、前記無線受信装置が起動した直後にノイズの強度を測定する、請求項２に記載の無線受信装置。
【請求項４】
前記ノイズ測定部は、一定時間間隔ごとにノイズの強度を測定する、請求項２に記載の無線受信装置。
【請求項５】
前記ノイズ測定部は、信号を受信した直後にノイズの強度を測定する、請求項２に記載の無線受信装置。
【請求項６】
前記第１信号の受信強度に関する情報を含む第２信号を送信する送信部をさらに備える、請求項２に記載の無線受信装置。
【請求項７】
前記受信強度通知部は、
発光部を備え、
前記受信強度判定部で判定された受信強度が閾値を超える場合には第１の通知態様で前記発光部を点灯し、前記受信強度判定部で判定された受信強度が前記閾値未満である場合には第２の通知態様で前記発光部を点灯する請求項１に記載の無線受信装置。
【請求項８】
第１の無線受信装置から、前記第１の無線受信装置が受信した第１信号の受信強度である第１受信強度に関する情報を含む第２信号を受信する受信部と、
前記受信部が受信した前記第２信号の受信強度である第２受信強度を判定する受信強度判定部と、
前記第１信号の受信強度が第１閾値を超えかつ前記第２受信強度が第２閾値を超える場合には第３の通知態様で受信強度を通知し、前記第１受信強度が第１閾値未満または前記第２受信強度が前記第２閾値未満である場合には第４の通知態様で受信強度を通知する受信強度通知部と、を備える無線受信装置。
【請求項９】
ユーザの操作を受け付けるためのボタンと、
前記ボタンが押下された場合に、第１信号を送信する送信部と
をさらに備え、
受信強度通知部は、
発光部を更に備え、
前記第１信号の受信強度が第１閾値を超えかつ前記第２信号の受信強度が第２閾値を超える場合には第３の通知態様で前記発光部を点灯し、前記第１信号の受信強度が第１閾値未満または前記第２信号の受信強度が前記第２閾値未満である場合には第４の通知態様で前記発光部を点灯する請求項８に記載の無線受信装置。
【請求項１０】
第１の無線受信装置と第２の無線受信装置を含む無線システムであって、
前記第１の無線受信装置は、
前記第２の無線受信装置からの第１信号を受信する第１受信部と、
前記第１受信部が受信した第１信号の受信強度を判定する第１受信強度判定部と、
前記第１受信強度判定部で判定された第１受信強度が第１閾値を超える場合には第１の通知態様で受信強度を通知し、前記第１受信強度判定部で判定された第１受信強度が前記第１閾値未満である場合には第２の通知態様で受信強度を通知する第１受信強度通知部と、
当該第１の無線受信装置の周辺のノイズの強度を測定するノイズ測定部と、
前記ノイズ測定部が測定したノイズの強度に応じて前記第１閾値を変更する閾値変更部と、
前記第１信号の受信強度に関する情報を含む第２信号を第２の無線受信装置に送信する送信部と、を備え、
前記第２の無線受信装置は、
前記第１の無線受信装置から、前記第１受信強度判定部で判定した第１信号の受信強度に関する情報を含む第２信号を受信する第２受信部と、
前記第２受信部が受信した前記第２信号の受信強度である第２受信強度を判定する第２受信強度判定部と、
前記第１受信強度が第１閾値を超えかつ前記第２受信強度が第２閾値を超える場合には第３の通知態様で受信強度を通知し、前記第１受信強度が第１閾値未満または前記第２受信強度が前記第２閾値未満である場合には第４の通知態様で受信強度を通知する第２受信強度通知部と、を備える、
無線システム。
【発明の詳細な説明】
【技術分野】
【０００１】
本発明は、無線スイッチ等の無線受信装置および無線通信システムに関する。
【背景技術】
【０００２】
各種の無線受信装置が実用化されている。無線受信装置を用いたシステムの一例として、子機として無線スイッチを用いたシステムが挙げられる（特許文献１）。このような無線スイッチを用いたシステムでは、子機である無線スイッチ（送信機）と親機（受信機）との間で無線信号の通信が行われる。
【０００３】
このような無線通信においては、子機と親機との通信距離が長くなるに従い、子機及び親機における無線信号の受信強度は低下する。受信強度が安定的に通信できるレベルを下回ると、次第に通信成功率も低下する。したがって、無線信号の受信強度をユーザに対して通知することにより、ユーザが通信距離を適切に調整する。
【０００４】
また、特許文献１の技術では、親機及び無線スイッチの双方において、無線信号の受信強度を判定する受信強度判定部と、受信強度判定部によって判定された受信強度を多段階的にユーザに通知する受信強度通知部を備えている。これにより、ユーザは無線信号の受信強度を知ることができ、適切に通信距離を調整することができる。
【先行技術文献】
【特許文献】
【０００５】
【特許文献１】特開２０１８−９３６８３号公報（２０１８年６月１４日公開）
【発明の概要】
【発明が解決しようとする課題】
【０００６】
しかし、通信成功率は、無線信号の受信強度の絶対値とノイズ強度との比率に依存するので、無線スイッチおよび親機周辺に同一周波数帯のノイズが存在すると、無線信号の受信強度が大きくても、通信成功率が低下する可能性がある。このため、特許文献１では、ノイズが存在する場合、多段階的なユーザへの通知が影響を受け、結果として、通信状態が良好か否かをユーザに対して適切に通知することができなくなるという問題を有していた。
【０００７】
上記の課題を鑑み、本発明の一態様では、同一周波数帯のノイズが存在する場合であっても、通信状態が良好か否かをユーザに対して適切に通知することができる技術を提供することを目的とする。
【課題を解決するための手段】
【０００８】
上記の課題を解決するために、本発明の一態様に係る無線受信装置は、信号を受信する受信部と、前記受信部が受信した第１信号の受信強度を判定する受信強度判定部と、前記受信強度判定部で判定された受信強度が閾値を超える場合には第１の通知態様で受信強度を通知し、前記受信強度判定部で判定された受信強度が前記閾値未満である場合には第２の通知態様で受信強度を通知する受信強度通知部と、当該無線受信装置周辺のノイズの強度に応じて前記閾値を変更する閾値変更部と、を備える。
【０００９】
上記の構成によれば、測定されたノイズの強度によって、信号の受信強度の通知態様を切り替える際の基準となる閾値を変更する。これにより、ノイズの強い環境下であっても適切に受信強度をユーザに通知することができ、ユーザは通信距離を適切に調整することができる。
【００１０】
上記一態様に係る無線受信装置において、前記ノイズを測定するノイズ測定部を更に備え、前記閾値変更部は、前記ノイズ測定部が測定したノイズの強度に応じて前記閾値を変更してもよい。
【００１１】
上記の構成によれば、無線受信装置がノイズを測定するノイズ測定部を備えているため、信号の受信強度の通知態様を切り替える基準となる閾値を適切に変更できる。これにより、ノイズの強い環境下であっても適切に受信強度をユーザに通知することができ、ユーザは通信距離を適切に調整することができる。
【００１２】
上記一態様に係る無線受信装置において、前記ノイズ測定部は、前記無線受信装置が起動した直後にノイズの強度を測定してもよい。
【００１３】
上記の構成によれば、無線受信装置の起動直後にノイズの強度を測定する。よって、無線受信装置の起動処理完了後は、無線受信装置を常に受信待ちの状態にすることができる。
【００１４】
上記一態様に係る無線受信装置において、前記ノイズ測定部は、一定時間間隔ごとにノイズの強度を測定してもよい。
【００１５】
上記の構成によれば、ノイズ測定が一定時間間隔ごとに繰り返されるので、時間でノイズ強度が変動する環境であっても、適切にノイズ強度を取得することができる。このため、受信強度通知の態様を切り替える基準となる閾値を、常に適切に設定することができる。
【００１６】
上記一態様に係る無線受信装置において、前記ノイズ測定部は、信号を受信した直後にノイズの強度を測定してもよい。
【００１７】
上記の構成によれば、無線受信装置が、信号を受信した直後のリアルタイムに近いノイズ強度に基づいて閾値を変更することができるので、より適切に閾値を設定することができる。
【００１８】
上記一態様に係る無線受信装置において、前記第１信号の受信強度に関する情報を含む第２信号を送信する送信部をさらに備えてもよい。
【００１９】
上記の構成によれば、第２信号を受信する無線受信装置において、通信相手の受信装置における無線信号の受信強度も的確に把握することができるため、ユーザに対しこの情報を元に適切な受信強度の通知を行うことができる。
【００２０】
上記一態様に係る無線受信装置において、前記受信強度通知部は、発光部を備え、前記受信強度判定部で判定された受信強度が閾値を超える場合には第１の通知態様で前記発光部を点灯し、前記受信強度判定部で判定された受信強度が前記閾値未満である場合には第２の通知態様で前記発光部を点灯してもよい。
【００２１】
上記の構成によれば、発光部の点灯態様により、無線信号の受信強度を、分かりやすくユーザに通知することができ、ユーザは適切に通信距離を調整することができる。
【００２２】
上記一態様に係る無線通信装置において、第１の無線受信装置から、前記第１の無線受信装置が受信した第１信号の受信強度に関する情報を含む第２信号を受信する受信部と、前記受信部が受信した前記第２信号の受信強度である第２受信強度を判定する受信強度判定部と、前記第１信号の受信強度が第１閾値を超えかつ前記第２受信強度が第２閾値を超える場合には第３の通知態様で受信強度を通知し、前記第１受信強度が第１閾値未満または前記第２受信強度が前記第２閾値未満である場合には第４の通知態様で受信強度を通知する受信強度通知部と、を備えてもよい。
【００２３】
上記の構成によれば、第１の無線受信装置における無線信号の受信強度と、該無線受信装置における受信強度との両方に基づいて、ユーザに対する受信強度の通知態様を変更するので、より適切にユーザに対し通信強度を通知することができる。
【００２４】
上記一態様に係る無線通信装置において、ユーザの操作を受け付けるためのボタンと、前記ボタンが押下された場合に、第１信号を送信する送信部とをさらに備え、受信強度通知部は、発光部を更に備え、前記第１信号の受信強度が第１閾値を超えかつ前記第２信号の受信強度が第２閾値を超える場合には第３の通知態様で前記発光部を点灯し、前記第１信号の受信強度が第１閾値未満または前記第２信号の受信強度が前記第２閾値未満である場合には第４の通知態様で前記発光部を点灯してもよい。
【００２５】
上記の構成によれば、発光部の点灯態様により、無線信号の受信強度を、分かりやすくユーザに通知することができ、ユーザは適切に通信距離を調整することができる。
【００２６】
上記一態様に係る無線システムにおいて、第１の無線受信装置と第２の無線受信装置を含み、前記第１の無線受信装置は、前記第２の無線受信装置からの第１信号を受信する第１受信部と、前記第１受信部が受信した第１信号の受信強度を判定する第１受信強度判定部と、前記第１信号強度判定部で判定された第１受信強度が第１閾値を超える場合には第１の通知態様で受信強度を通知し、前記第１受信強度判定部で判定された第１受信強度が前記第１閾値未満である場合には第２の通知態様で受信強度を通知する第１受信強度通知部と、当該第１の無線受信装置周辺のノイズの強度を測定するノイズ測定部と、前記ノイズ測定部が測定したノイズの強度に応じて前記第１閾値を変更する閾値変更部と、前記第１信号の受信強度に関する情報を含む第２信号を第２の無線受信装置に送信する送信部と、を備え、前記第２の無線受信装置は、前記第１の無線受信装置から、前記第１受信強度判定部で判定した第１信号の受信強度に関する情報を含む第２信号を受信する第２受信部と、前記第２受信部が受信した前記第２信号の受信強度である第２受信強度を判定する第２受信強度判定部と、前記第１受信強度が第１閾値を超えかつ前記第２受信強度が第２閾値を超える場合には第３の通知態様で受信強度を通知し、前記第１受信強度が第１閾値未満または前記第２受信強度が前記第２閾値未満である場合には第４の通知態様で受信強度を通知する第２受信強度通知部と、を備えてもよい。
【００２７】
上記の構成によれば、互いに無線信号を送受信する無線システムの２個の無線受信装置において、どちらの無線受信装置においても適切に無線信号の受信強度の通知態様を切り替えることができる。これにより、ノイズの強い環境であっても適切に受信強度をユーザに通知することができ、ユーザは通信距離を適切に調整することができる。
【発明の効果】
【００２８】
本発明の一態様によれば、無線受信装置がノイズの強い環境であっても、無線信号の受信強度をユーザに適切に通知するができ、ユーザは適切に通信距離を調整することができる。
【図面の簡単な説明】
【００２９】
【図１】本発明の一実施形態に係る無線通信システム１の機能構成例を模式的に例示する図である。
【図２】本発明の一実施形態に係る無線通信システム１を構成する第１無線受信装置１０（親機）、第２無線受信装置（子機）の外観斜視図である。
【図３】第１無線受信装置１０、第２無線受信装置２０における受信強度通知態様の一例を示す図である。
【図４】ノイズの強度によって、第１無線受信装置１０における通信強度の通知態様を切り替える閾値を変更することを示す一例の図である。
【図５】比較例における図４に対応する図である。
【図６】無線受信装置１０、２０の処理の一例を示すフローチャートである。
【図７】無線受信装置１０、２０の処理の一例を示すフローチャートである。
【図８】無線受信装置１０、２０の処理の一例を示すフローチャートである。
【図９】第２無線受信装置２０の変形例の機能構成を示す図である。
【図１０】第２無線受信装置２０の変形例の機能構成を示す図である。
【発明を実施するための形態】
【００３０】
以下、本発明の一側面に係る実施の形態（以下、「本実施形態」とも表記する）を、図面に基づいて説明する。
§１  適用例  
まず、図２を用いて本実施形態の無線通信システム１の適用例について説明する。
【００３１】
本実施形態における無線通信システム１は、第１無線受信装置（受信装置、無線スイッチの親機）１０および第２無線受信装置（送信装置、無線スイッチ）２０を備えている。
【００３２】
図２に示すように、第１無線受信装置１０は、筐体を備え、この筐体に受信強度通知部１８（ＬＥＤ）を備える。第２無線受信装置２０は、筐体７０の上面に位置するボタン５０および筐体７０の上面に位置する受信強度通知部２８（ＬＥＤ）を備える。 
この無線通信システム１では、まずユーザが第２無線受信装置２０のボタン５０を押下することにより、第２無線受信装置２０から第１無線受信装置１０に無線信号が送信される。第１無線受信装置１０で無線信号を受信すると、無線信号の受信強度に応じて異なる色でＬＥＤが点灯する。第１無線受信装置１０では、ノイズ測定部１３により、周辺のノイズ強度を測定する。このノイズ測定値に基づいて、ＬＥＤの発光色を切り替える際の閾値を可変とする。ＬＥＤの発光色によりユーザは無線信号の受信強度を認識することができる。また、第１無線受信装置１０は第２無線受信装置２０から無線信号を受信したことを確認する受信確認信号（ＡＣＫ）を第２無線受信装置２０に送信する。これにより、第２無線受信装置２０は、無線信号が第１無線受信装置１０で受信されたことを確認することができる。ＡＣＫには、第１無線受信装置１０での無線信号の受信強度に関する情報が含まれている。そして、第２無線受信装置２０では、第１無線受信装置１０での無線信号の受信強度およびＡＣＫに含まれる第２無線受信装置２０での無線信号の受信強度の情報に応じて異なる色でＬＥＤが点灯される。これにより、第２無線受信装置２０のユーザは、第１無線受信装置１０との通信状態を把握することができる。なお、本実施形態では、ＬＥＤの発光色により受信強度をユーザに通知しているが、受信強度を通知する手段は、例えば、音声であってもよい。
§２  機能構成例
＜無線通信システム１＞
次に、図１を用いて、本実施形態に係る無線通信システム１の機能構成の一例について説明する。無線通信システム１は、第１無線受信装置１０（親機）および第２無線受信装置２０（無線スイッチ）を備える。第２無線受信装置２０は１個であっても、複数であってもよい。第１無線受信装置１０と第２無線受信装置２０は、互いに無線信号を送受信する。
【００３３】
（第１無線受信装置１０）
図１に示すように、第１無線受信装置１０は、アンテナ１１、無線通信部１２、ノイズ測定部１３、閾値変更部１６、受信強度判定部１７、および受信強度通知部１８を備えている。
【００３４】
（無線通信部１２）
無線通信部１２は、信号を受信する。具体的には、無線通信部１２は、アンテナ１１を介して、第２無線受信装置２０からの第１信号を受信する。また、無線通信部１２は、アンテナ１１を介して、第２無線受信装置２０に、第１信号の受信強度に関する情報を含む第２信号を送信する。具体的には、第１無線受信装置１０は、アンテナ１１を介して、第２無線受信装置２０から受信した第１信号に対する第２信号（受信確認信号、ＡＣＫ）を送信する。このＡＣＫには、後述する受信強度判定部１７で判定する第１信号の受信強度に関する情報が含まれる。つまり、無線通信部１２は、受信部であるとともに送信部にも相当する。
（ノイズ測定部１３）
ノイズ測定部１３は、ノイズを測定する。具体的には、第１無線受信装置１０の周辺に存在するノイズの強度を特定する。ノイズ測定を行うタイミングは様々に考えられるが、詳細は後述する。
（閾値変更部１６）
閾値変更部１６は、当該無線受信装置１０周辺のノイズの強度に応じて閾値を変更する。具体的には、前記ノイズ測定部１３が測定したノイズの強度に応じて閾値を変更する。閾値とは、ユーザに信号の受信強度を多段階で通知する際の、通知態様の切り替えの基準となる受信強度をいう。ノイズの強い環境では、信号の受信強度が強くても、通信に失敗する確率が高くなる。よって、測定されたノイズ強度が強い場合には相対的に閾値を低く設定し、測定されたノイズ強度が弱い場合には相対的に閾値を高く設定する。
（受信強度判定部１７）
受信強度判定部１７は、無線通信部１２が受信した第１信号の受信強度を判定する。具体的には、受信強度判定部１７は、無線通信部１２が受信した第１信号の受信強度と閾値変更部１６で設定された閾値を比較し、第１信号の受信強度が閾値を超えるか否かを判定する。そして、第１受信強度が第１閾値を超えると判断した場合には、受信強度判定部１７は、第２受信装置２０に送信されるＡＣＫ内の特定ビットを「１」に設定し、第１受信強度が第１閾値未満であると判定した場合には、ＡＣＫ内の特定ビット「０」に設定する。
（受信強度通知部１８）
受信強度通知部１８は、前記受信強度判定部１７で判定された受信強度が閾値を超える場合には第１の通知態様で受信強度を通知し、前記受信強度判定部１７で判定された受信強度が前記閾値未満である場合には第２の通知態様で受信強度を通知する。具体的には、受信強度通知部１８は、発光部を備え、前記受信強度判定部１７で判定された受信強度が閾値を超える場合には第１の通知態様で前記発光部を点灯し、前記受信強度判定部で判定された受信強度が前記閾値未満である場合には第２の通知態様で前記発光部を点灯する。より具体的には、受信強度通知部１８はＬＥＤを備える。そして、受信強度判定部１７が第１信号の受信強度が閾値を超えると判断した場合には、受信強度通知部１８はＬＥＤを緑色に点灯させる。受信強度判定部１７が第１信号の受信強度が閾値未満であると判断した場合には、受信強度通知部１８はＬＥＤを黄色に点灯させる。第１無線受信装置１０が第１信号の受信に失敗した場合には、受信強度通知部１８はＬＥＤを点灯させない。
（第２無線受信装置２０）
第２無線受信装置２０は、アンテナ２１、無線通信部２２、フラグ判定部２４、受信強度判定部２７、および受信強度通知部２８を備える。
（無線通信部２２）
無線通信部２２は、第１無線受信装置１０から、第１無線受信装置１０が受信した第１信号の受信強度に関する情報を含む第２信号を受信する。具体的には、無線通信部２２は、アンテナ２１を介して、第１無線受信装置１０から第２信号（ＡＣＫ）を受信する。前述の通り、第１無線受信装置１０の受信強度判定部１７は、第１受信強度が第１閾値を超えると判断した場合にはＡＣＫ内の特定ビットを「１」に設定し、第１受信強度が第１閾値未満であると判定した場合には、ＡＣＫ内の特定ビットを「０」に設定する。したがって、ＡＣＫには、第１受信強度が第１閾値を超えるか否かを示す情報が含まれる。また、第２無線受信装置２０の無線通信部２２は、ユーザの操作を受け付けるためのボタン５０と、前記ボタン５０が押下された場合に、第１信号を送信する送信部を備える。具体的には、ユーザが第２無線受信装置２０のボタン５０を押下すると、無線通信部２２はアンテナ２１を介して、第１無線受信装置１０に第１信号を送信する。つまり、無線通信部２２は、受信部であるとともに送信部にも相当する。
（フラグ判定部２４）
フラグ判定部２４では、第１無線受信装置１０の無線通信部１２が送信する第２信号（ＡＣＫ）内の特定ビットが「１」であるか、「０」であるかを判定する。
【００３５】
（受信強度判定部２７）
受信強度判定部２７は、無線通信部２２が受信した第２信号の受信強度である第２受信強度を判定する。
（受信強度通知部２８）
受信強度通知部２８は、前記第１信号の受信強度が第１閾値を超えかつ前記第２受信強度が第２閾値を超える場合には第３の通知態様で受信強度を通知し、前記第１受信強度が第１閾値未満または前記第２受信強度が前記第２閾値未満である場合には第４の通知態様で受信強度を通知する。具体的には、受信強度通知部２８は、発光部を更に備え、前記第１信号の受信強度が第１閾値を超えかつ前記第２信号の受信強度が第２閾値を超える場合には第３の通知態様で前記発光部を点灯し、前記第１信号の受信強度が第１閾値未満または前記第２信号の受信強度が前記第２閾値未満である場合には第４の通知態様で前記発光部を点灯する。さらに、具体的には、受信強度通知部２８は、フラグ判定部２４で判定されたＡＣＫ内の特定ビットにおけるフラグ（「０」または「１」）に関する情報と、受信強度判定部２７で判定された第２信号の受信強度に基づいて、ＬＥＤの発光色を変更する。つまり、受信強度通知部２８は、前記第１信号の受信強度が第１閾値を超えかつ前記第２信号（ＡＣＫ）内の特定ビットが「１」である場合には、ＬＥＤを緑色に点灯させる。また、受信強度通知部２８は、前記第１信号の受信強度が第１閾値未満または前記第２信号第２信号（ＡＣＫ）内の特定ビットが「０」である場合には、ＬＥＤを黄色に点灯させる。受信強度通知部２８は、無線通信部２２が第１信号を送信してから一定時間内に第２信号（ＡＣＫ）を受信しない場合には、ＬＥＤを赤色に点灯させる。
【００３６】
なお、複数ある第２無線受信装置２０は、同じ構成を備えている。
【００３７】
上記構成により、ユーザは第１無線受信装置１０および第２無線受信装置２０における信号の受信強度を知ることができ、通信距離を適切に調整することができる。
＜ＬＥＤにおける表示態様＞
次に、図３、図４および図５を用いて、本実施形態に係る第１無線受信装置１０のＬＥＤおよび第２無線受信装置２０のＬＥＤによる信号の受信強度表示の詳細について説明する。
【００３８】
図３は、ノイズが相対的に弱い環境下における第１無線受信装置１０および第２無線受信装置２０における受信強度通知態様の一例を示す図である。図３に示すように、第１無線受信装置１０および第２無線受信装置２０において、受信した信号の強度に応じてＬＥＤの発光色が切り変わる仕様になっている。本実施形態では、第１無線受信装置１０および第２無線受信装置２０においてＬＥＤの発光色が切り変わる基準となる受信強度の閾値は、たとえば−９０ｄＢｍに設定する。したがって、まず第２無線受信装置２０から送信された信号が、第１無線受信装置１０で受信される際に、受信強度が−９０ｄＢｍを超える（または−９０ｄＢｍ以上）場合には、受信強度通知部１８は、ＬＥＤを緑色に点灯させる。この場合、ユーザは、信号の受信強度が充分に強いものであることを知ることができる。第２無線受信装置２０から送信された信号が、第１無線受信装置１０で受信される際に、受信強度が−９０ｄＢｍ未満であった場合には、受信強度通知部１８は、ＬＥＤを黄色に点灯させる。この場合、ユーザは、通信強度が弱く、これ以上通信距離を伸ばすと、通信に失敗する可能性が高いことを認識することができる。なお、第１無線受信装置１０が第２無線受信装置２０からの信号の受信に失敗した場合には、ＬＥＤは全く点灯されない。
【００３９】
第１無線受信装置１０で第２無線受信装置２０から信号を受信した場合には、第１無線受信装置１０の無線通信部１２は、第２無線受信装置２０に対して受信確認信号（ＡＣＫ）が送信する。第１無線受信装置１０で受信される信号の受信強度がたとえば−９０ｄＢｍを超える（または−９０ｄＢｍ以上）場合には、受信強度判定部１７は、ＡＣＫ内の特定ビットを「１」に設定し、第１無線受信装置１０で受信される信号の受信強度が−９０ｄＢｍ未満であった場合には、ＡＣＫ内の特定ビットを「０」に設定する。そして、第１無線受信装置１０の無線通信部１２が送信したＡＣＫを、第２無線受信装置２０の無線通信部２２が受信する際に、受信強度が−９０ｄＢｍ以上である場合かつＡＣＫ内の特定ビットが「１」である場合には、受信強度通知部２８は、ＬＥＤを緑色に点灯させる。この場合、ユーザは、第１無線受信装置で受信される第１信号も第２無線受信装置で受信される第２信号の受信強度も充分に強いものであると認識することができる。第２無線受信装置２０の無線通信部２２が送信した第１信号を、第１無線受信装置１０の無線通信部２２が受信する際に、受信強度が−９０ｄＢｍ未満であった場合またはＡＣＫ内の特定ビットが「０」であった場合には、受信強度通知部２８はＬＥＤを黄色に点灯させる。この場合、ユーザは、第１無線受信装置１０の無線通信部１２が受信した信号または第２無線受信装置２０の無線通信部２２が受信した信号の受信強度が弱く、これ以上通信距離を伸ばすと、通信に失敗する可能性が高いことを認識することができる。なお、第２無線受信装置２０の無線通信部２２が、信号を送信してから一定時間内に第１無線受信装置１０からＡＣＫを受信しなかった場合には、受信強度通知部２８はＬＥＤを赤色に点灯させる。
【００４０】
図５は、従来の無線受信装置（子機）におけるＬＥＤの表示態様を示す図である。従来の無線受信装置においては、ノイズが強い環境にあってもノイズが弱い環境にある場合と同様に、ＬＥＤの表示態様を切り替える基準となる閾値を一定に（たとえば−９０ｄＢｍ）に設定している。しかし、周囲のノイズ強度が強くなるに従い、同じ通信距離であっても（つまり受信強度が同じであっても）、通信に失敗する可能性が高くなる。したがって、図５の（ｂ）および（ｃ）に示すように、周辺のノイズ強度が高くなるに従い、ＬＥＤが黄色に点灯され、信号の受信強度が弱いことを示す領域が狭くなる。そして、図５（ｃ）に示すようにノイズ強度が非常に強い環境では、ＬＥＤが緑色に点灯されていても、少し通信距離を伸ばすと、通信が不能になってしまう恐れがある。この場合、ユーザは通信距離を適切に調整することができない。
【００４１】
これに対し、本実施形態では、図４に示すように、閾値変更部１６が、周辺のノイズ強度に応じて、閾値を変更している。以下、図４を参照しながら、図３に示す場合に比べてノイズが強い環境における第１無線受信装置１０のＬＥＤの表示態様について説明する。
【００４２】
第１無線受信装置１０は周辺のノイズを測定するノイズ測定部１３を備える。図３（a）に示すように、測定されたノイズが弱い場合（例えば、ノイズが−９０ｄＢｍ未満の場合）、閾値変更部１６はＬＥＤの発光色を切り替える基準となる閾値を−９０ｄＢｍに設定する。したがって、周辺のノイズが弱い環境にある際に、受信強度が−９０ｄＢｍ以上である場合には、受信強度通知部１８はＬＥＤを緑色に点灯させ、受信強度が−９０ｄＢｍ未満である場合には、ＬＥＤを黄色に点灯させる。これに対し、図３（ｂ）に示すように、周辺のノイズが図３（a）の場合に比べて強くなった場合、閾値変更部１６は、ＬＥＤの発光色を切り替える基準となる閾値を大きく設定する。例えば、周辺のノイズが−９０ｄＢｍである場合、閾値変更部１６は、ＬＥＤの発光色を切り替える基準となる閾値を−９０ｄＢｍ＋１２ｄＢ＝−７８ｄＢｍに設定する。ここで、計算に用いた１２ｄＢとの値は、本実施形態を限定するものではないが、信号の変調方式として２値周波数偏移変調（２値ＦＳＫ）を採用する場合は、ＰＥＲ（Packet Error Rate）が１％となり、また、ＢＥＲ（Bit Error Rate）が10-4となる値である。
【００４３】
したがって、図３（ｂ）に示すように図３（a）の場合に比べて周辺のノイズが強い環境下では、受信強度通知部１８は、受信強度が−７８ｄＢｍ以上である場合にＬＥＤを緑色に点灯させ、受信強度が−７８ｄＢｍ未満である場合にはＬＥＤを黄色に点灯させる。また、図３（ｃ）に示すように、周辺のノイズが更に強い場合には、閾値変更部１６はＬＥＤの発光色を切り替える基準となる閾値を更に大きく設定する。例えば、周辺のノイズが−８０ｄＢｍである場合、閾値変更部１６は、ＬＥＤの発光色を切り替える基準となる閾値を−８０ｄＢｍ＋１２ｄＢ＝−６８ｄＢｍに設定する。
【００４４】
したがって、周辺のノイズが強い環境にある場合には、受信強度通知部１８は受信強度の絶対値が−６８ｄＢｍ以上でＬＥＤを緑色に点灯させ、受信強度の絶対値が−６８ｄＢｍ未満ではＬＥＤを黄色に点灯させる。
【００４５】
このように、閾値変更部１６が、第１無線受信装置１０周辺のノイズの強度に応じてＬＥＤの発光色を切り替える閾値を設定することによって、ノイズの強い環境においても、適切に受信強度をユーザに通知することができ、ユーザは通信距離を適切に調整することができる。
§３  動作例  
次に、図６，７、および８を用いて、第１無線受信装置１０および第２無線受信装置２０の処理の例を説明する。第１無線受信装置１０のノイズ測定部１３は、様々なタイミングでノイズ測定を行う。以下に、例示する。
【００４６】
＜動作例１＞
図６は、第１無線受信装置１０の起動直後にノイズ測定を行う場合の、無線受信装置の処理を示すフローチャートである。すなわち、第１無線受信装置１０のノイズ測定部１３は、第１無線受信装置１０が起動した直後にノイズの強度を測定する。なお、以下で説明する処理手順は一例であり、本実施形態に係る処理手順をこの例に限定する意図はない。また、以下で説明する処理手順について、実施の形態に応じて、適宜、ステップの省略、置換および追加が可能である。
まず、第１無線受信装置１０を起動する（ステップＳ１０１）。第１無線受信装置１０を起動した直後に、ノイズ測定部１３がノイズ測定（以下ＥＤスキャンということもある）を開始する（ステップＳ１０２）。続いて、閾値変更部１６が、ノイズ測定部１３で測定したノイズ強度に応じて、ＬＥＤの表示を切り替える際の基準となる閾値を設定する（ステップＳ１０３）。一方、第２無線受信装置２０では、ユーザが信号を送信するためにボタン５０を押下する操作を行う（ステップＳ２０１）と、無線通信部２２が第１無線受信装置１０に対して信号を送信する（ステップＳ２０２）。
【００４７】
第１無線受信装置１０では、無線通信部１２が第２無線受信装置２０から信号を受信した後、受信強度判定部１７が、信号の受信強度がステップＳ１０３で設定された閾値以上か否かを判断する（ステップＳ１０４）。受信強度が閾値以上であると判断した場合には（ステップＳ１０４でＹｅｓ）、受信強度通知部１８が第１無線受信装置１０のＬＥＤを緑色に点灯させる（ステップＳ１０５）。また、このとき受信強度判定部１７が第２無線受信装置２０に送信されるＡＣＫ内の特定ビットを「１」に設定する（ステップＳ１０７）。受信強度が閾値未満である場合（ステップＳ１０４でＮｏ）には、受信強度通知部１８は、第１無線受信装置１０のＬＥＤを黄色に点灯させる（ステップＳ１０６）。また、このとき第２無線受信装置２０に送信されるＡＣＫ内の特定ビットを「０」に設定する（ステップＳ１０８）。
【００４８】
第２無線受信装置２０では、無線通信部２２がＡＣＫを受信したか否かを判断する（ステップＳ２０３）。ＡＣＫを受信しないと判断した場合には（ステップＳ２０３でＮｏ）、無線通信部２２が、第１無線受信装置１０に信号を送信してから一定時間経過したか否かを判断する（ステップＳ２０４）。一定時間経過していないと判断した場合には（ステップＳ２０４でＮｏ）、ステップＳ２０３に戻って再びＡＣＫ信号を受信したか否かを判断する。第１無線受信装置１０に信号を送信してから一定時間経過したと判断した場合には（ステップＳ２０４でＹｅｓ）、ＬＥＤを赤に点灯する（ステップＳ２０５）。
【００４９】
ＡＣＫを受信した場合には（ステップＳ２０３でＹｅｓ）、フラグ判定部２４がＡＣＫに含まれる特定ビットが「１」であるか否かを判断する（ステップＳ２０６）。ＡＣＫ信号に含まれる特定ビットが「０」である場合には（ステップＳ２０６でＮｏ）、受信強度通知部２８はＬＥＤを黄色に点灯させる（ステップＳ２１０）。ＡＣＫ信号に含まれる特定ビットが「１」である場合には（ステップＳ２０６でＹｅｓ）、受信強度判定部２７がＡＣＫの受信強度を判定する（ステップＳ２０７）。受信強度判定部２７は、ＡＣＫの受信強度が閾値以上であるか否かを判断する（ステップＳ２０８）。ＡＣＫ信号の受信強度が閾値以上であると判断された場合には（ステップＳ２０８でＹｅｓ）、受信強度通知部２８はＬＥＤを緑色に点灯させる（ステップＳ２０９）。ＡＣＫ信号の受信強度が閾値未満であると判断された場合には（ステップＳ２０８でＮｏ）、受信強度通知部２８はＬＥＤを黄色に点灯させる（ステップＳ２１０）。
【００５０】
上記動作例によれば、第１無線受信装置１０の起動直後に、ノイズ測定部１３がノイズ測定を行うため、その後、無線通信部１２は、第２無線受信装置２０からの信号をいつでも受信することができる状態となり、信号受信の妨げとならない。
【００５１】
＜動作例２＞
図７は、一定時間間隔ごとにノイズ測定を行う場合の、無線受信装置の処理を示すフローチャートである。すなわち、第１無線受信装置１０のノイズ測定部１３は、一定時間間隔ごとにノイズの強度を測定する。
まず、第１無線受信装置１０を起動する（ステップＳ３０１）。次に、第１無線受信装置１０のノイズ測定部１３が、一定時間間隔ごとにノイズ測定を行う（ステップＳ３０２)。測定されたノイズに基づいて、閾値変更部１６がＬＥＤの表示態様を切り替える基準となる閾値を設定する（ステップＳ３０３）。次に、ノイズ測定部１３が前回のノイズ測定から一定時間経過したか否かを判断する（ステップＳ３０４）。前回ノイズ測定から一定時間経過したと判断した場合には（ステップＳ３０４でＹｅｓ）、ステップＳ３０２に戻り、再びノイズ測定部１３がノイズ測定を行う。前回ノイズ測定から一定時間経過していないと判断した場合かつ（ステップＳ３０４でＮｏ）第２無線受信装置２０から信号を受信した場合には、受信強度判定部は、受信強度が閾値変更部１６で設定された閾値以上であるか否かを判断する（ステップＳ３０５）。以下、ステップＳ３０６からステップＳ３０９までは、＜動作例１＞におけるステップＳ１０５からステップＳ１０８までと同じであるため、説明を省略する。受信強度通知部２８がＬＥＤを点灯させ（ステップＳ３０６、ステップＳ３０７）、受信強度判定部２７がＡＣＫに含まれる特定ビットを「１」または「０」に設定した（ステップＳ３０８、ステップＳ３０９）後、再びノイズ測定部１３が前回ノイズ測定から一定時間経過したか否かを判断する（ステップＳ３１０）。前回ノイズ測定から一定時間経過したと判断した場合（ステップＳ３１０でＹｅｓ）、ステップＳ３０２に戻り、再びノイズ測定部１３がノイズ測定を行う。前回ノイズ測定から一定時間経過していないと判断した場合（ステップＳ３１０でＮｏ）、ステップＳ３０５に戻り、無線通信部１２が第２無線受信装置２０から信号を受信したか否かを判断する。
【００５２】
なお、第２無線受信装置２０におけるステップＳ４０１からステップＳ４１０までは、＜動作例１＞のステップＳ２０１からステップＳ２１０と同じなので、説明を省略する。
【００５３】
上記動作例によれば、一定時間隔ごとにノイズ測定を行うため、時間の経過に伴ってノイズ強度が変わる環境であっても、適切に無線機器周辺のノイズ強度を測定することができ、ノイズ強度に基づき適切に閾値を設定することができる。
【００５４】
＜動作例３＞
図８は、第１無線受信装置１０が第２無線受信装置２０から信号を受信した直後にノイズ測定を行う場合の、無線受信装置の処理を示すフローチャートである。すなわち、前記ノイズ測定部１３は、信号を受信した直後にノイズの強度を測定する。
まず、第１無線受信装置１０を起動する（ステップＳ５０１）。無線通信部１２が第２無線受信装置２０から信号を受信すると（ステップＳ５０２）、この直後に、ノイズ測定部１３が、第１無線受信装置１０周辺のノイズ強度の測定を行う（ステップＳ５０３）。次に、ノイズ測定部１３で測定されたノイズ強度に基づいて閾値変更部１６が閾値を設定する（ステップＳ５０４）。次に、受信強度判定部１７が、信号の受信強度がステップＳ５０４で設定された閾値以上か否かを判断する（ステップＳ５０５）。受信強度がステップＳ５０４で設定された閾値以上であると判断した場合には（ステップＳ５０５でＹｅｓ）、受信強度通知部１８がＬＥＤを緑色に点灯させ（ステップＳ５０６）、受信強度判定部１７が第２無線受信装置に送信するＡＣＫに含まれる特定ビットを「１」に設定する（ステップＳ５０８）。受信強度がステップＳ５０４で設定された閾値未満であると判断した場合には（ステップＳ５０５でＮｏ）、受信強度通知部１８がＬＥＤを黄色に点灯させ（ステップＳ５０７）、受信強度判定部１７が第２無線受信装置２０に送信するＡＣＫに含まれる特定ビットを「０」に設定する（ステップＳ５０９）。
【００５５】
なお、本動作例における第２無線受信装置２０の動作におけるステップＳ６０１からステップＳ６１０は、＜動作例１＞のステップＳ２０１から２１０までと同じであるため、説明を省略する。  
上記動作例によれば、第１無線受信装置１０が第２無線受信装置２０から信号を受信した直後にノイズ測定部１３がノイズ測定を行うので、信号を受信した直後のリアルタイムに近いノイズ強度に基づいて閾値を変更することができる。このため、より適切に閾値を設定することができる。
§４  変形例
（変形例１）
上記実施形態では、第２無線受信装置２０は、閾値変更部を備えておらず、ノイズ強度が変わっても閾値が一定のままの場合を例に挙げたが、これは本実施形態を限定するものではない。図９に示すように、第２無線受信装置２０aは、閾値変更部２６ａを備えていてもよい。この場合、第２無線受信装置２０aは、第１無線受信装置からのＡＣＫに含まれる特定ビットに基づいて閾値を変更する。
【００５６】
この構成により、第２無線受信装置２０aにおいて、より適切に受信強度をユーザに通知することができ、ユーザが通信強度を調整することが容易となる。
【００５７】
（変形例２）
上記実施形態では、第２無線受信装置２０は、ノイズ測定部を備えない場合を例に挙げたが、これは本実施形態を限定するものではない。図１０に示すように、第２無線受信装置２０ｂは、閾値変更部２６ｂの他、さらにノイズ測定部２３ｂを備えていてもよい。この場合、第２無線受信装置２０ｂでは、ノイズ測定部２３ｂが第２無線受信装置２０ｂの周辺のノイズ強度を測定し、このノイズ測定値に基づいて閾値変更部２６ｂが閾値を変更する。したがって、第１無線受信装置１０の周辺ではなく第２無線受信装置２０の周辺のノイズ強度に基づいて閾値を変更することができる。これにより、第２無線受信装置２０において、より適切に閾値を設定することができる。この結果、ユーザはより適切に、通信距離を調整することができる。
【００５８】
（変形例３）
上記実施形態では、ノイズ測定部で測定した周辺のノイズ強度によって受信強度通知部における閾値を変更し、受信強度がこの閾値より超えるか否かを基準にして、ユーザに対する通知態様を切り替えた。これにかわって、受信された信号の受信強度とノイズ測定部で測定されたノイズ強度との比率（ＳＮ比）を算出し、ＳＮ比が一定値以上であるか否かに基づいて、ユーザに対する通知態様を切り替えてもよい。
【００５９】
本発明は上述した実施形態および変形例に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６０】
１  無線通信システム
１０  第１無線受信装置
１１、２１  アンテナ
１２、２２  無線通信部  
１３、２３ｂ  ノイズ測定部
１６、２６ａ、２６ｂ  閾値変更部
１７、２７  受信強度判定部
１８、２８  受信強度通知部
２０、２０a、２０ｂ  第２無線受信装置（無線受信装置）
２４  フラグ判定部
５０  ボタン
７０  筐体
【図１】
2020068387.tif 000003
【図２】
2020068387.tif 000004
【図３】
2020068387.tif 000005
【図４】
2020068387.tif 000006
【図５】
2020068387.tif 000007
【図６】
2020068387.tif 000008
【図７】
2020068387.tif 000009
【図８】
2020068387.tif 000010
【図９】
2020068387.tif 000011
【図１０】
2020068387.tif 000012